(57)【要約】  本開示の態様は、印刷された表示部を有する構成要素を有する吸収性物品、より詳しくは、先行技術のカラーパレットを超えるカラーパレットを用いて、印刷された表示部を有するウェブ材料を有する吸収性物品に関係する。このようなウェブ材料は、吸収性物品の構成要素の製造時に印刷され得る。本明細書に論じられるように、例えば、バックシート、トップシート、ランディングゾーン、締着具、締着タブ、耳部、吸収性コア、及び獲得層などの印刷されたおむつ構成要素の製造に、かかる印刷ウェブ材料の例を使用することができる。本明細書で論じられる装置及び方法はまた、女性用衛生製品などの他の種類の吸収性物品に適用可能である。
2014506524.tif 000002
【特許請求の範囲】
【請求項１】
トップシート（２１０）と、
バックシート（２１２）と、
前記トップシート（２１０）と前記バックシート（２１２）との間に配置された吸収性コア（２１４）と、
前記バックシート（２１２）、前記吸収性コア（２１４）、及び前記トップシート（２１０）のうちの少なくとも１つに直接印刷された表示部と、を含み、前記表示部はＬ＊ａ＊ｂ＊明度を含み、ウェブ基材上に配置される前記表示部は、下記の連立方程式：
｛ａ＊＝−５４．１〜７２．７、ｂ＊＝１３１．５〜１４５．８｝→ｂ＊＝０．１１３ａ＊＋１３７．６
｛ａ＊＝−１３１．６〜−５４．１、ｂ＊＝８９．１〜１３１．５｝→ｂ＊＝０．５４７ａ＊＋１６１．１
｛ａ＊＝−１６５．６〜−１３１．６、ｂ＊＝２８．０〜８９．１｝→ｂ＊＝１．７９７ａ＊＋３２５．６
｛ａ＊＝３．６〜−１６５．６、ｂ＊＝−８２．６〜２８．０｝→ｂ＊＝−０．６５４ａ＊−８０．３
｛ａ＊＝１２７．１〜３．６、ｂ＊＝−９５．１〜−８２．６｝→ｂ＊＝−０．１０１ａ＊−８２．３
｛ａ＊＝７２．７〜１２７．１、ｂ＊＝１４５．８〜−９５．１｝→ｂ＊＝−４．４２８ａ＊＋４６７．７
（式中、Ｌ＊は０〜１００である）で描写される境界内に配置されるＣＩＥＬａｂ座標値の差によって定義され、
境界外に配置されるＣＩＥＬａｂ座標値は、下記の連立方程式：
｛ａ＊＝−１９．１２〜−４１．５３、ｂ＊＝−５２．６６〜−３１．９８｝→ｂ＊＝−０．９２２８ａ＊−７０．３０
｛ａ＊＝−４１．５３〜−４６．４１、ｂ＊＝−３１．９８〜−２５．５１｝→ｂ＊＝−１．３２５８ａ＊−８７．０４
｛ａ＊＝−４６．４１〜−５７．５７、ｂ＊＝−２５．５１〜７．０７｝→ｂ＊＝−２．９１９４ａ＊−１６１．００
｛ａ＊＝−５７．５７〜−６０．５５、ｂ＊＝７．０７〜２７．６８｝→ｂ＊＝−６．９１６１ａ＊−３９１．０９
｛ａ＊＝−６０．５５〜−５９．３５、ｂ＊＝２７．６８〜３８．６８｝→ｂ＊＝９．１６６７ａ＊＋５８２．７２
｛ａ＊＝−５９．３５〜−５４．９７、ｂ＊＝３８．６８〜５５．４９｝→ｂ＊＝３．８３７９ａ＊＋２６６．４６
｛ａ＊＝−５４．９７〜−６．３２、ｂ＊＝５５．４９〜８７．６２｝→ｂ＊＝０．６６０４ａ＊＋９１．７９
｛ａ＊＝−６．３２〜４４．０２、ｂ＊＝８７．６２〜６４．５８｝→ｂ＊＝−０．４５７７ａ＊＋８４．７３
｛ａ＊＝４４．０２〜５９．８３、ｂ＊＝６４．５８〜５７．１５｝→ｂ＊＝−０．４７００ａ＊＋８５．２７
｛ａ＊＝５９．８３〜６４．２１、ｂ＊＝５７．１５〜５２．６４｝→ｂ＊＝−１．０２９７ａ＊＋１１８．７６
｛ａ＊＝６４．２１〜６５．３３、ｂ＊＝５２．６４〜４６．４９｝→ｂ＊＝−５．４９１１ａ＊＋４０５．２２
｛ａ＊＝６５．３３〜６３．８５、ｂ＊＝４６．４９〜３０．８８｝→ｂ＊＝１０．５４７３ａ＊−６４２．５６
｛ａ＊＝６３．８５〜５６．９８、ｂ＊＝３０．８８〜１．５９｝→ｂ＊＝４．２６３５ａ＊−２４１．３４
｛ａ＊＝５６．９８〜１１．８４、ｂ＊＝１．５９〜−３９．９｝→ｂ＊＝０．９１９１ａ＊−５０．７８
｛ａ＊＝１１．８４〜−１９．１２、ｂ＊＝−３９．９〜−５２．６６｝→ｂ＊＝０．４１２１ａ＊−４４．７８
（式中、Ｌ＊は０〜１００の範囲である）で描写される、使い捨て吸収性物品。
【請求項２】
プロセスカラーは、シアン、黄、マゼンタ、黒、赤、緑、及び青紫である、請求項１に記載の使い捨て吸収性物品。
【請求項３】
抗摩耗コーティングを更に含む、請求項１又は２に記載の使い捨て吸収性物品。
【請求項４】
前記表示部が、ハーフトーンドットで提供される、請求項１〜３のいずれか一項に記載の使い捨て吸収性物品。
【発明の詳細な説明】
【技術分野】
【０００１】
本開示は、使い捨て吸収性物品に関し、より詳しくは、それに適用された特有の色域を有する表示部を含む、使い捨て吸収性物品に関する。
【背景技術】
【０００２】
前進する連続的な材料のウェブに構成要素を加えること、及び他の方法によって前進する連続的な材料のウェブを修正することによって、おむつ、女性用衛生衣類、及び様々な種類の他の使い捨て吸収性物品をアセンブリラインに沿って組み立てることができる。おむつを製造するために使用される材料のウェブ及び構成要素部分としては、バックシート、トップシート、吸収性コア、前側耳部及び／又は後側耳部、締結構成要素、並びに様々な種類の弾性ウェブ及び構成要素、例えば脚部弾性部材、バリアレッグカフ弾性部材、及び腰部弾性部材を挙げることができる。いくつかのプロセスでは、表示部は、吸収性物品を組み立てるために使用される個々の構成要素及び／又は連続した材料のウェブの上に印刷される。
【０００３】
吸収紙製品のいくつかのプロセス印刷方法論及び装置は、多くの場合、得られるカラーパレットを作成する基礎として、４色を使用する。このようなプロセス印刷では、吸収性物品のプロデューサー及びメーカーに、商業的に利用可能な速度で個々の構成要素及び／又は連続的な材料のウェブの上に印刷する機能を提供することができる。個々の構成要素及び／又は連続的な材料のウェブの上に印刷する、実用的で現在利用可能なプロセスは、多くの場合、印刷用の４色のベースに限定され、その結果、多くのベースカラーを活かすプロセス／装置程のカラーパレットの幅を捕捉することができない。
【０００４】
いくつかの吸収紙製品は、その上に印刷された画像及び／又は表示部を有してもよく、印刷画像は、比較的多くのプロセスカラー及び／又はスポットカラーによって製造される。例えば、先行技術では、吸収性物品バックシートについて、それぞれ、ＣＩＥＬａｂ座標（２Ｄ色域）における、下記の二次元の連立方程式：
｛ａ＊＝−１９．１２〜−４１．５３、ｂ＊＝−５２．６６〜−３１．９８｝→ｂ＊＝−０．９２２８ａ＊−７０．３０
｛ａ＊＝−４１．５３〜−４６．４１、ｂ＊＝−３１．９８〜−２５．５１｝→ｂ＊＝−１．３２５８ａ＊−８７．０４
｛ａ＊＝−４６．４１〜−５７．５７、ｂ＊＝−２５．５１〜７．０７｝→ｂ＊＝−２．９１９４ａ＊−１６１．００
｛ａ＊＝−５７．５７〜−６０．５５、ｂ＊＝７．０７〜２７．６８｝→ｂ＊＝−６．９１６１ａ＊−３９１．０９
｛ａ＊＝−６０．５５〜−５９．３５、ｂ＊＝２７．６８〜３８．６８｝→ｂ＊＝９．１６６７ａ＊＋５８２．７２
｛ａ＊＝−５９．３５〜−５４．９７、ｂ＊＝３８．６８〜５５．４９｝→ｂ＊＝３．８３７９ａ＊＋２６６．４６
｛ａ＊＝−５４．９７〜−６．３２、ｂ＊＝５５．４９〜８７．６２｝→ｂ＊＝０．６６０４ａ＊＋９１．７９
｛ａ＊＝−６．３２〜４４．０２、ｂ＊＝８７．６２〜６４．５８｝→ｂ＊＝−０．４５７７ａ＊＋８４．７３
｛ａ＊＝４４．０２〜５９．８３、ｂ＊＝６４．５８〜５７．１５｝→ｂ＊＝−０．４７００ａ＊＋８５．２７
｛ａ＊＝５９．８３〜６４．２１、ｂ＊＝５７．１５〜５２．６４｝→ｂ＊＝−１．０２９７ａ＊＋１１８．７６
｛ａ＊＝６４．２１〜６５．３３、ｂ＊＝５２．６４〜４６．４９｝→ｂ＊＝−５．４９１１ａ＊＋４０５．２２
｛ａ＊＝６５．３３〜６３．８５、ｂ＊＝４６．４９〜３０．８８｝→ｂ＊＝１０．５４７３ａ＊−６４２．５６
｛ａ＊＝６３．８５〜５６．９８、ｂ＊＝３０．８８〜１．５９｝→ｂ＊＝４．２６３５ａ＊−２４１．３４
｛ａ＊＝５６．９８〜１１．８４、ｂ＊＝１．５９〜−３９．９｝→ｂ＊＝０．９１９１ａ＊−５０．７８
｛ａ＊＝１１．８４〜−１９．１２、ｂ＊＝−３９．９〜−５２．６６｝→ｂ＊＝０．４１２１ａ＊−４４．７８
（式中、Ｌ＊は０〜１００の範囲である）で定義される色域境界を開示する。
【０００５】
より具体的には、先行技術のバックシートは、それぞれ、ＣＩＥＬａｂ座標（３Ｄ色域）における下記の三次元の連立方程式で定義される、外挿した色域境界を提供する。
【表１】
2014506524.tif 000003
【０００６】
いくつかの例では、先行技術は、それぞれ、吸収性物品締着タブについてＣＩＥＬａｂ座標（２Ｄ色域）における下記の二次元の連立方程式：
｛ａ＊＝２０．９〜１９．５、ｂ＊＝１７．６〜−７．４｝→ｂ＊＝１７．８５７ａ＊−３５５．６
｛ａ＊＝１９．５〜５．６、ｂ＊＝−７．４〜−２３．４｝→ｂ＊＝１．１５１ａ＊−２９．８
｛ａ＊＝５．６〜−７．４、ｂ＊＝−２３．４〜−２０．８｝→ｂ＊＝−０．２００ａ＊−２２．３
｛ａ＊＝−７．４〜−１７．０、ｂ＊＝−２０．８〜７．６｝→ｂ＊＝−２．９５８ａ＊−４２．７
｛ａ＊＝−１７．０〜−１６．４、ｂ＊＝７．６〜１７．６｝→ｂ＊＝１６．６６７ａ＊＋２９０．９
｛ａ＊＝−１６．４〜−４．６、ｂ＊＝１７．６〜２９．８｝→ｂ＊＝１．０３４ａ＊＋３４．６
｛ａ＊＝−４．６〜２０．９、ｂ＊＝２９．８〜１７．６｝→ｂ＊＝−０．４７８ａ＊＋２７．６
（式中、Ｌ＊は０〜１００の範囲である）で定義される色域境界を開示する。
【０００７】
より具体的には、先行技術の締着タブは、それぞれ、ＣＩＥＬａｂ座標（３Ｄ色域）における下記の三次元の連立方程式で定義される、外挿した色域境界を提供する。
【表２】
2014506524.tif 000004
【発明の概要】
【発明が解決しようとする課題】
【０００８】
理論に制限されるものではないが、先行技術のカラーパレットを超えるカラーパレットを用いて、印刷した構成要素を有する吸収性物品（すなわち、より鮮やかな、複雑な、又は明るい印刷パターンをその上に有する製品）を提供することが、使用者を満足させると考えられる。したがって、比較的広いカラーパレットを有する、印刷された表示部を有する使い捨て吸収性物品を提供することが望ましい。
【課題を解決するための手段】
【０００９】
本開示の態様は、印刷された表示部を有する構成要素を有する吸収性物品、より詳しくは、先行技術のカラーパレットを超えるカラーパレットを用いて、印刷された表示部を有するウェブ材料を有する吸収性物品に関係する。
【００１０】
一形態では、使い捨て吸収性物品は、トップシート、バックシート、並びにトップシートとバックシートとの間に配置された吸収性コア、並びにバックシート、吸収性コア、及びトップシートのうちの少なくとも１つに直接印刷された表示部を含み、表示部は、Ｌ＊ａ＊ｂ＊明度を含み、ウェブ基材上に配置される表示部は、下記の連立方程式：
｛ａ＊＝−５４．１〜７２．７、ｂ＊＝１３１．５〜１４５．８｝→ｂ＊＝０．１１３ａ＊＋１３７．６
｛ａ＊＝−１３１．６〜−５４．１、ｂ＊＝８９．１〜１３１．５｝→ｂ＊＝０．５４７ａ＊＋１６１．１
｛ａ＊＝−１６５．６〜−１３１．６、ｂ＊＝２８．０〜８９．１｝→ｂ＊＝１．７９７ａ＊＋３２５．６
｛ａ＊＝３．６〜−１６５．６、ｂ＊＝−８２．６〜２８．０｝→ｂ＊＝−０．６５４ａ＊−８０．３
｛ａ＊＝１２７．１〜３．６、ｂ＊＝−９５．１〜−８２．６｝→ｂ＊＝−０．１０１ａ＊−８２．３
｛ａ＊＝７２．７〜１２７．１、ｂ＊＝１４５．８〜−９５．１｝→ｂ＊＝−４．４２８ａ＊＋４６７．７
（式中、Ｌ＊は０〜１００である）で描写される境界内に配置されるＣＩＥＬａｂ座標値の差によって定義され、境界外に配置されるＣＩＥＬａｂ座標値は、下記の連立方程式：
｛ａ＊＝−１９．１２〜−４１．５３、ｂ＊＝−５２．６６〜−３１．９８｝→ｂ＊＝−０．９２２８ａ＊−７０．３０
｛ａ＊＝−４１．５３〜−４６．４１、ｂ＊＝−３１．９８〜−２５．５１｝→ｂ＊＝−１．３２５８ａ＊−８７．０４
｛ａ＊＝−４６．４１〜−５７．５７、ｂ＊＝−２５．５１〜７．０７｝→ｂ＊＝−２．９１９４ａ＊−１６１．００
｛ａ＊＝−５７．５７〜−６０．５５、ｂ＊＝７．０７〜２７．６８｝→ｂ＊＝−６．９１６１ａ＊−３９１．０９
｛ａ＊＝−６０．５５〜−５９．３５、ｂ＊＝２７．６８〜３８．６８｝→ｂ＊＝９．１６６７ａ＊＋５８２．７２
｛ａ＊＝−５９．３５〜−５４．９７、ｂ＊＝３８．６８〜５５．４９｝→ｂ＊＝３．８３７９ａ＊＋２６６．４６
｛ａ＊＝−５４．９７〜−６．３２、ｂ＊＝５５．４９〜８７．６２｝→ｂ＊＝０．６６０４ａ＊＋９１．７９
｛ａ＊＝−６．３２〜４４．０２、ｂ＊＝８７．６２〜６４．５８｝→ｂ＊＝−０．４５７７ａ＊＋８４．７３
｛ａ＊＝４４．０２〜５９．８３、ｂ＊＝６４．５８〜５７．１５｝→ｂ＊＝−０．４７００ａ＊＋８５．２７
｛ａ＊＝５９．８３〜６４．２１、ｂ＊＝５７．１５〜５２．６４｝→ｂ＊＝−１．０２９７ａ＊＋１１８．７６
｛ａ＊＝６４．２１〜６５．３３、ｂ＊＝５２．６４〜４６．４９｝→ｂ＊＝−５．４９１１ａ＊＋４０５．２２
｛ａ＊＝６５．３３〜６３．８５、ｂ＊＝４６．４９〜３０．８８｝→ｂ＊＝１０．５４７３ａ＊−６４２．５６
｛ａ＊＝６３．８５〜５６．９８、ｂ＊＝３０．８８〜１．５９｝→ｂ＊＝４．２６３５ａ＊−２４１．３４
｛ａ＊＝５６．９８〜１１．８４、ｂ＊＝１．５９〜−３９．９｝→ｂ＊＝０．９１９１ａ＊−５０．７８
｛ａ＊＝１１．８４〜−１９．１２、ｂ＊＝−３９．９〜−５２．６６｝→ｂ＊＝０．４１２１ａ＊−４４．７８
（式中、Ｌ＊は０〜１００の範囲である）で描写される。
【００１１】
他の形態において、使い捨て吸収性物品は、トップシート、バックシート、並びにトップシートとバックシートとの間に配置された吸収性コア、並びにバックシート、吸収性コア、及びトップシートのうちの少なくとも１つの上に直接印刷された表示部を含み、表示部は、５色以上のプロセスカラーで提供される。
【００１２】
更に別の形態において、使い捨て吸収性物品は、トップシート、バックシート、並びにトップシートとバックシートとの間に配置された吸収性コア、並びにバックシート、吸収性コア、及びトップシートのうちの少なくとも１つの上に直接印刷された表示部を含み、表示部は、Ｌ＊ａ＊ｂ＊明度を含み、ウェブ基材上に配置される表示部は、ＭａｃＡｄａｍ  ３Ｄ色域によって描写される、境界内に配置されるＣＩＥＬａｂ座標値、及びバックシート３Ｄ色域外に配置されるＣＩＥＬａｂ座標値によって定義される。
【００１３】
更なる別の形態において、使い捨て吸収性物品は、トップシート、バックシート、及びトップシートとバックシートとの間に配置された吸収性コア、及びその上に配置されたＸ色を含む表示部を含み、表示部は、Ｘ及びＹが整数であり、０＜Ｙ＜Ｘ、及びＸ＞１である、Ｘ−Ｙ個の印刷構成要素を使用して、ウェブ基材上にＸ色を印刷するために採用される接触印刷システムによって、バックシート、吸収性コア、及びトップシートのうちの少なくとも１つに配置され、Ｘ色のそれぞれが、下記の連立方程式：
｛ａ＊＝−５４．１〜７２．７、ｂ＊＝１３１．５〜１４５．８｝→ｂ＊＝０．１１３ａ＊＋１３７．６
｛ａ＊＝−１３１．６〜−５４．１、ｂ＊＝８９．１〜１３１．５｝→ｂ＊＝０．５４７ａ＊＋１６１．１
｛ａ＊＝−１６５．６〜−１３１．６、ｂ＊＝２８．０〜８９．１｝→ｂ＊＝１．７９７ａ＊＋３２５．６
｛ａ＊＝３．６〜−１６５．６、ｂ＊＝−８２．６〜２８．０｝→ｂ＊＝−０．６５４ａ＊−８０．３
｛ａ＊＝１２７．１〜３．６、ｂ＊＝−９５．１〜−８２．６｝→ｂ＊＝−０．１０１ａ＊−８２．３
｛ａ＊＝７２．７〜１２７．１、ｂ＊＝１４５．８〜−９５．１｝→ｂ＊＝−４．４２８ａ＊＋４６７．７
（式中、Ｌ＊は０〜１００である）で描写される境界内に配置されるＣＩＥＬａｂ座標値によって定義されるＬ＊ａ＊ｂ＊明度によって定義される。
【００１４】
更なる別の形態において、使い捨て吸収性物品は、トップシート、バックシート、及びトップシートとバックシートとの間に配置された吸収性コア、及びその上に配置されたＸ色を含む表示部を含み、表示部は、Ｘ及びＹが整数であり、０＜Ｙ＜Ｘ、及びＸ＞１である、Ｘ−Ｙ個の印刷構成要素を使用して、ウェブ基材上にＸ色を印刷するために採用される接触印刷システムによって、バックシート、吸収性コア、及びトップシートのうちの少なくとも１つに配置され、Ｘ色のそれぞれが、ＭａｃＡｄａｍ  ３Ｄ色域によって描写される、境界内に配置されるＣＩＥＬａｂ座標値によって定義されるＬ＊ａ＊ｂ＊明度によって定義される。
【００１５】
更に別の形態において、使い捨て吸収性物品は、トップシート、バックシート、並びにトップシートとバックシートとの間に配置された吸収性コア、並びにバックシート、吸収性コア、及びトップシートのうちの少なくとも１つの上に直接印刷された表示部を含み、表示部は、その上に配置され、かつ実質的にそれに取り付けられる少なくとも１つのインクを含み、少なくとも１つのインクは、２Ｄ  ＣＩＥＬａｂ（Ｌ＊ａ＊ｂ＊）色域によって定義される値を有し、２Ｄ  ＣＩＥＬａｂ（Ｌ＊ａ＊ｂ＊）色域は、バックシート２Ｄ  ＣＩＥＬａｂ（Ｌ＊ａ＊ｂ＊）色域を少なくとも約２７３％超えている。
【００１６】
更に別の形態において、使い捨て吸収性物品は、トップシート、バックシート、並びにトップシートとバックシートとの間に配置された吸収性コア、並びにバックシート、吸収性コア、及びトップシートのうちの少なくとも１つの上に直接印刷された表示部を含み、表示部は、その上に配置され、かつ実質的にそれに取り付けられる少なくとも１つのインクを含み、少なくとも１つのインクは、３Ｄ  ＣＩＥＬａｂ（Ｌ＊ａ＊ｂ＊）色域によって定義される値を有し、３Ｄ  ＣＩＥＬａｂ（Ｌ＊ａ＊ｂ＊）色域は、バックシート３Ｄ  ＣＩＥＬａｂ（Ｌ＊ａ＊ｂ＊）色域を少なくとも約６５７％超えている。
【００１７】
更に別の形態において、使い捨て吸収性物品は、トップシート、バックシート、及びトップシートとバックシートとの間に配置された吸収性コアを含むシャーシ、シャーシと連結した締着タブ、並びにＬ＊ａ＊ｂ＊明度を含む締着タブの上に直接印刷された表示部を含み、締着タブの上に配置される表示部は、下記の連立方程式：
｛ａ＊＝−５４．１〜７２．７、ｂ＊＝１３１．５〜１４５．８｝→ｂ＊＝０．１１３ａ＊＋１３７．６
｛ａ＊＝−１３１．６〜−５４．１、ｂ＊＝８９．１〜１３１．５｝→ｂ＊＝０．５４７ａ＊＋１６１．１
｛ａ＊＝−１６５．６〜−１３１．６、ｂ＊＝２８．０〜８９．１｝→ｂ＊＝１．７９７ａ＊＋３２５．６
｛ａ＊＝３．６〜−１６５．６、ｂ＊＝−８２．６〜２８．０｝→ｂ＊＝−０．６５４ａ＊−８０．３
｛ａ＊＝１２７．１〜３．６、ｂ＊＝−９５．１〜−８２．６｝→ｂ＊＝−０．１０１ａ＊−８２．３
｛ａ＊＝７２．７〜１２７．１、ｂ＊＝１４５．８〜−９５．１｝→ｂ＊＝−４．４２８ａ＊＋４６７．７
（式中、Ｌ＊は０〜１００である）で描写される境界内に配置されるＣＩＥＬａｂ座標値の差によって定義され、ＣＩＥＬａｂ座標値は、下記の連立方程式：
｛ａ＊＝２０．９〜１９．５、ｂ＊＝１７．６〜−７．４｝→ｂ＊＝１７．８５７ａ＊−３５５．６
｛ａ＊＝１９．５〜５．６、ｂ＊＝−７．４〜−２３．４｝→ｂ＊＝１．１５１ａ＊−２９．８
｛ａ＊＝５．６〜−７．４、ｂ＊＝−２３．４〜−２０．８｝→ｂ＊＝−０．２００ａ＊−２２．３
｛ａ＊＝−７．４〜−１７．０、ｂ＊＝−２０．８〜７．６｝→ｂ＊＝−２．９５８ａ＊−４２．７
｛ａ＊＝−１７．０〜−１６．４、ｂ＊＝７．６〜１７．６｝→ｂ＊＝１６．６６７ａ＊＋２９０．９
｛ａ＊＝−１６．４〜−４．６、ｂ＊＝１７．６〜２９．８｝→ｂ＊＝１．０３４ａ＊＋３４．６
｛ａ＊＝−４．６〜２０．９、ｂ＊＝２９．８〜１７．６｝→ｂ＊＝−０．４７８ａ＊＋２７．６
（式中、Ｌ＊は０〜１００の範囲である）で描写される境界外に配置される。
【００１８】
更なる別の形態において、使い捨て吸収性物品は、トップシート、バックシート、及びトップシートとバックシートとの間に配置された吸収性コアを含むシャーシ、シャーシと連結した締着タブ、並びにその上に配置されたＸ色を含む表示部を含み、表示部は、Ｘ及びＹが整数であり、０＜Ｙ＜Ｘ、及びＸ＞１である、Ｘ−Ｙ個の印刷構成要素を使用して、ウェブ基材上にＸ色を印刷するために採用される接触印刷システムによって、締着タブの上に配置され、Ｘ色のそれぞれが、下記の連立方程式：
｛ａ＊＝−５４．１〜７２．７、ｂ＊＝１３１．５〜１４５．８｝→ｂ＊＝０．１１３ａ＊＋１３７．６
｛ａ＊＝−１３１．６〜−５４．１、ｂ＊＝８９．１〜１３１．５｝→ｂ＊＝０．５４７ａ＊＋１６１．１
｛ａ＊＝−１６５．６〜−１３１．６、ｂ＊＝２８．０〜８９．１｝→ｂ＊＝１．７９７ａ＊＋３２５．６
｛ａ＊＝３．６〜−１６５．６、ｂ＊＝−８２．６〜２８．０｝→ｂ＊＝−０．６５４ａ＊−８０．３
｛ａ＊＝１２７．１〜３．６、ｂ＊＝−９５．１〜−８２．６｝→ｂ＊＝−０．１０１ａ＊−８２．３
｛ａ＊＝７２．７〜１２７．１、ｂ＊＝１４５．８〜−９５．１｝→ｂ＊＝−４．４２８ａ＊＋４６７．７
（式中、Ｌ＊は０〜１００である）で描写される境界内に配置されるＣＩＥＬａｂ座標値によって定義されるＬ＊ａ＊ｂ＊明度によって定義される。
【図面の簡単な説明】
【００１９】
【図１】Ｌ＊＝０〜１００であるａ＊ｂ＊平面を示すＣＩＥＬａｂ（Ｌ＊ａ＊ｂ＊）座標における、代表的な外挿したＭａｃＡｄａｍ及びバックシート２Ｄ色域のグラフ表示。
【図１ａ】Ｌ＊＝０〜１００であるａ＊ｂ＊平面を示すＣＩＥＬａｂ（Ｌ＊ａ＊ｂ＊）座標における、代表的な外挿したＭａｃＡｄａｍ及び締着タブ２Ｄ色域のグラフ表示。
【図２】ＣＩＥＬａｂ（Ｌ＊ａ＊ｂ＊）座標における、代表的な外挿したバックシート３Ｄ色域のグラフ表示。
【図２ａ】ＣＩＥＬａｂ（Ｌ＊ａ＊ｂ＊）座標における、代表的な外挿した締着タブ３Ｄ色域のグラフ表示。
【図３】ＣＩＥＬａｂ（Ｌ＊ａ＊ｂ＊）座標における、代表的な外挿したバックシート３Ｄ色域の代替のグラフ表示。
【図３ａ】ＣＩＥＬａｂ（Ｌ＊ａ＊ｂ＊）座標における、代表的な外挿した締着タブ３Ｄ色域の代替のグラフ表示。
【図４】ＣＩＥＬａｂ（Ｌ＊ａ＊ｂ＊）座標における、代表的な外挿したＭａｃＡｄａｍ  ３Ｄ色域のグラフ表示。
【図５】ＣＩＥＬａｂ（Ｌ＊ａ＊ｂ＊）座標における、代表的な外挿したＭａｃＡｄａｍ  ３Ｄ色域の代替のグラフ表示。
【図６】本開示の製品を製造するのに好適な、代表的なグラビアシリンダーの斜視図。
【図７】おむつの形状の使い捨て吸収性物品。
【図８】シャーシを含むおむつの平面図であって、シャーシは平坦な、折り畳まれていない状態で示され、着用者とは反対側のおむつの部分が観測者の方を向いている。
【発明を実施するための形態】
【００２０】
「吸収性物品」は、本明細書において、主な機能が、汚れ及び排泄物を吸収及び保持することである消費者製品を指すために用いられる。失禁用吸収性物品の非限定的な例としては、おむつ、テープ型おむつ、トレーニングパンツ及びプルオンパンツ、成人失禁用ブリーフ及び下着、パンティライナー、吸収性インサートなどの女性用衛生衣類が挙げられる。
【００２１】
「おむつ」は、本明細書において、一般的に、幼児、及び失禁症状のある人によって、胴体下部周囲に着用される吸収性物品を指すために用いられる。
【００２２】
用語「パンツ」（「トレーニングパンツ」、「予め閉じたおむつ」、「おむつ型パンツ」、「パンツ型おむつ」、及び「プルオンおむつ」とも称される）は、本明細書において、幼児又は成人の着用者のために設計された、周縁部が連続した腰部開口部と周縁部が連続した脚部開口部とを有する使い捨て吸収性物品を指す。
【００２３】
用語「使い捨て」は、本明細書において、洗濯、又は他の方法で吸収性物品として修復若しくは再使用することを一般に意図しない吸収性物品を説明するために用いられる（例えば、その物品を、１回の使用後に廃棄することを意図し、またリサイクルするか、堆肥化するか、そうでなければ環境に適応した方法で処分するように構成されてもよい）。
【００２４】
用語「配置されている」は、本明細書において、ある要素（１つ又は複数）が、特定の場所又は位置に、他の要素と共にマクロ単一構造体として、又は別の要素に結合している別個の要素として形成されている（結合され位置する）ことを意味する際に用いられる。
【００２５】
本明細書で使用するとき、「結合されている」という用語は、ある要素を別の要素に直接取り付けることによって、その要素がその別の要素に直接取り付けられる構成、及びある要素を中間部材（１つ又は複数）に取り付けてから、その中間部材を別の要素に取り付けることによって、その要素がその別の要素に間接的に取り付けられる構成を包含する。
【００２６】
用語「身体に面する表面」は、吸収性物品を装着したときに着用者の身体に面する吸収性物品及び／又はその構成要素の表面を指し、用語「衣類に面する表面」は、吸収性物品を装着したときに着用者の身体とは反対側に面する吸収性物品及び／又はその構成要素の表面を指す。吸収性物品と、トップシート、バックシート、吸収性コア、締着タブを含むその構成要素と、その構成要素材料のあらゆる個々の材料とは、身体に面する表面及び衣類に面する表面を有する。
【００２７】
用語「基材」は、本明細書において、材料として、主に二次元（すなわち、ＸＹ平面）であり、その厚さ（Ｚ方向）が、その長さ（Ｘ方向）及び幅（Ｙ方向）と比べて比較的小さい（すなわち、１／１０以下）材料を説明するために用いられる。基材の非限定的な例としては、単独で用いてもよいし、１つ以上のウェブ、層、フィルム及び／又は箔に積層してもよい層又は繊維性材料、フィルム及び箔、例えばプラスチックフィルム又は金属製の箔が挙げられる。そのため、ウェブは基材である。
【００２８】
用語「不織布」は、本明細書において、スパンボンド、メルトブローンなどの方法によって、連続的な（長い）フィラメント（繊維）及び／又は非連続的な（短い）フィラメント（繊維）から作製された材料を指す。不織布は、織った又は編んだフィラメントパターンを有さない。
【００２９】
用語「機械方向」（ＭＤ）は、本明細書において、プロセスを通過する材料の方向を指すために用いられる。
【００３０】
用語「横断方向」（ＣＤ）は、本明細書において、機械方向に対してほぼ垂直な方向を指すために使用される。
【００３１】
本明細書で使用するとき、「ベースカラー」は、更なる色を作成する土台として、ハーフトーン印刷法で使用される色を指す。いくつかの非限定的な実施形態では、ベースカラーは、有色インク及び／又は染料で提供される。ベースカラーの非限定的な例は、シアン、マゼンタ、黄、黒、赤、緑、及び青紫からなる群から選択されてもよい。
【００３２】
本明細書で使用するとき、「坪量」は、ポンド／３０００ｆｔ２又はｇ／ｍ２で記録された試料の単位面積当たりの重量である。
【００３３】
本明細書で使用するとき、「黒」は、約３８０ｎｍ〜約７４０ｎｍの全スペクトル領域において、波長を吸収する色及び／又はベースカラーを指す。
【００３４】
本明細書で使用するとき、「青」又は「青紫」は、約３９０ｎｍ〜約４９０ｎｍのスペクトル領域において、極大反射率を有する色及び／又はベースカラーを指す。
【００３５】
本明細書で使用するとき、「シアン」は、約３９０ｎｍ〜約５７０ｎｍのスペクトル領域において、極大反射率を有する色及び／又はベースカラーを指す。いくつかの実施形態では、極大反射率は、青又は青紫の極大反射率と緑の極大反射率との間にある。
【００３６】
「ドットゲイン」は、印刷材料を意図されるものより暗く見えるようにする印刷における現象である。その現象は、原本画像（「入力ハーフトーン」）とウェブ材料の上に最終的に印刷された画像（「出力ハーフトーン」）との間の領域に増大するハーフトーンドットにより、引き起こされる。
【００３７】
「染料」は、フィルム、不織布、生地、紙などのウェブ材料に特定の色相を与える、色素を含有する液体である。明確にするために、用語「流体」及び／又は「インク」及び／又は「染料」は、本明細書で互換的に用いられてもよく、本明細書での任意の開示を、「流体」及び／又は「インク」及び／又は「染料」単独に限定するものと解釈するべきではない。
【００３８】
「流体」は、液体又は気体として、流入することができ、かつ、その形状を変える傾向がある力に作用するとき、安定した割合でその形状を変える物質である。本開示で使用するのに好適である代表的な液体としては、インク、染料、柔軟化剤、洗浄剤、皮膚科学溶液、湿り度インジケータ、接着剤、これらの組み合わせなどが挙げられる。
【００３９】
本明細書で使用するとき、「緑」は、約４９１ｎｍ〜約５７０ｎｍのスペクトル領域において、極大反射率を有する色及び／又はベースカラーを指す。
【００４０】
本明細書で使用するとき、「ハーフトーン」又は「ハーフトーニング」は、時に、印刷分野の当業者には、原色の完全でない飽和を可能とする印刷技術である「スクリーニング」として、既知である。ハーフトーニングにおいて、各原色の比較的小さいドットは、平均的なヒト観測者が単色を認識するのに十分である小さいパターンで、印刷される。例えば、２０％ハーフトーンで印刷されたマゼンタは、平均的な観測者には、ピンク色として見えるだろう。理論に制限されるものではないが、この理由は、平均的な観測者が、ドット間のマゼンタの小さなドット及び白い紙を、純マゼンタインクの色よりも明るく、飽和されていないと認識し得るためである。
【００４１】
「色相」は、特定の色における、相対的な赤、黄、緑、及び青紫のことである。光線は、二次元ａ＊ｂ＊空間内の原点から任意の色まで創造され得る。色相は、０°（正のａ＊軸）から創造した光線まで測定された角度である。色相は、０°〜３６０°の任意の値であってもよい。明度（color value）は、Ｌ＊値から決定され、高い値ほどより白くなり、低い値ほどより黒くなる。
【００４２】
「インク」は、記述又は印刷に使用される流体又は粘稠な物質である。
【００４３】
本明細書で使用するとき、「Ｌａｂ色」又は「Ｌ＊ａ＊ｂ＊色空間」は、当業者によって使用され、比較的高いレベルの精度を有する知覚色を特徴とし、かつ定量的に描写する、カラーモデルを指す。より具体的には、Ｌ＊ａ＊ｂ＊色空間は、色間の比較的高い程度での知覚的な均一性を有するため、ＣＩＥＬａｂを使用し、色域を図示することができる。その結果、Ｌ＊ａ＊ｂ＊色空間を使用して、普通の観測者が実際に目視で認識することができる色域を描写することができる。
【００４４】
色の識別は、ｔｈｅ  Ｃｏｍｍｉｓｓｉｏｎ  Ｉｎｔｅｒｎａｔｉｏｎａｌｅ  ｄｅ  ｌ’ＥｃｌａｉｒａｇｅのＬ＊ａ＊ｂ色空間（以下、「ＣＩＥＬａｂ」）に応じて決められる。ＣＩＥＬａｂは、ｔｈｅ  Ｃｏｍｍｉｓｓｉｏｎ  Ｉｎｔｅｒｎａｔｉｏｎａｌｅ  ｄｅ  ｌ’Ｅｃｌａｉｒａｇｅ（以下、「ＣＩＥ」）１９７６基準に基づく、数学的カラースケールである。ＣＩＥＬａｂでは、色をデカルトｘｙｚ空間に類似の三次元空間にプロットすることができる。任意の色が、３つの値（Ｌ＊、ａ＊、ｂ＊）に応じて、ＣＩＥＬａｂにプロットされ得る。例えば、平面配向性及び垂直配向性である、２軸ａ＊及びｂ＊の原点、並びにａ＊及びｂ＊軸に垂直であり、原点でのみそれらと交差するＬ軸がある。負のａ＊値は、緑を表し、正のａ＊値は、赤を表す。ＣＩＥＬａｂは、従来のデカルトｘｙｚ空間のｙ軸上に、青紫から黄の色を有する。ＣＩＥＬａｂは、この軸をｂ＊軸として識別する。負のｂ＊値は、青紫を表し、正のｂ＊値は、黄を表す。ＣＩＥＬａｂは、従来のデカルトｘｙｚ空間のｚ軸上に、明度を有する。ＣＩＥＬａｂは、この軸をＬ軸として識別する。Ｌ＊軸は、白である値１００から黒である値０の範囲に及ぶ。Ｌ＊値５０は、中間色の灰色（ただし、ａ＊及びｂ＊は０である）を表す。任意の色が、３つの値（Ｌ＊、ａ＊、ｂ＊）に応じて、ＣＩＥＬａｂにプロットされ得る。本明細書に記載するとき、ＣＩＥＬａｂ空間における等距離は、知覚色のおおよそ均一である変化に対応する。その結果、当業者は、各色を三次元のユークリッド座標系で異なる点として処理し、その２点間のユークリッド距離（ΔＥ＊ａｂ）を計算することにより、任意の２色間の知覚的な差を概算することができる。
【００４５】
三次元ＣＩＥＬａｂでは、彩度、色相、及び明度の３つの色構成要素を計算することができる。ａ軸及びｂ軸から形成される二次元空間内で、色相及び彩度の構成要素が決定され得る。彩度（Ｃ＊）は、知覚色の相対的飽和度であり、ａ＊ｂ＊平面の原点からの距離によって決定され得る。彩度、具体的には、ａ＊、ｂ＊セットは、下記のように計算することができる。
【００４６】
Ｃ＊＝（ａ＊２＋ｂ＊２）１／２
例えば、ａ＊ｂ＊値（１０，０）の色は、ａ＊ｂ＊値（２０，０）の色より低い彩度を示すだろう。後者の色は、前者よりも「より赤い」というように、定性的に認識される。色相は、特定の色における、相対的な赤、黄、緑、及び青紫のことである。光線は、二次元ａ＊ｂ＊空間内の原点から任意の色まで創造され得る。
【００４７】
本明細書で使用するとき、「マゼンタ」は、約３９０ｎｍ〜約４９０ｎｍ及び６２１ｎｍ〜約７４０ｎｍのスペクトル領域において、極大反射率を有する色及び／又はベースカラーを指す。
【００４８】
本明細書で使用するとき、「プロセス印刷」は、３つの原色シアン、マゼンタ、黄、及び黒を使用して、カラー印刷を提供する方法を指す。色の各層は、ベース基材に付加される。いくつかの実施形態では、ベース基材は、白色又は灰白色である。色の各層の付加で、所定量の光が吸収され（印刷分野の当業者は、実際にインクを白背景の明るさから「減じる」ことを理解する）、多様な色をもたらす。ＣＭＹ（シアン、マゼンタ、黄）が併用され、更なる色を提供する。このような色の非限定的な例としては、赤、緑、及び青が挙げられる。Ｋ（黒）を使用し、交互に濃淡及び顔料を提供する。当業者は、別の方法としてＣＭＹが併用され、黒系の色を提供することができることを認識するであろう。
【００４９】
本明細書で使用するとき、「赤」は、約６２１ｎｍ〜約７４０ｎｍのスペクトル領域において、極大反射率を有する色及び／又はベースカラーを指す。
【００５０】
本明細書で使用するとき、「得られる色」は、普通の観測者が、ハーフトーン印刷法の最終製品上で認識する色を指す。本明細書で例示されるとき、２０％ハーフトーンで印刷されたマゼンタの得られる色は、ピンクである。
【００５１】
「ウェブ材料」としては、表示部がその上にインプリントされ、実質的にそれに取り付けられ得る物品の製造に好適な製品が挙げられる。使用に好適であり、目的の開示内であるウェブ材料としては、繊維性構造体、吸収紙製品、及び／又は繊維を含む製品が挙げられる。他の材料は、干渉しない、又は本発明によって提示された利益をいずれも妨害（counter act）しない限り、他の材料もまた、本発明の範囲内であると解釈される。好適なウェブ材料としては、箔、ポリマーシート、布、織布又は不織布、紙、セルロース繊維シート、共押出成形体、積層体、高内相エマルション発泡体材料、及びこれらの組み合わせを挙げることができる。選択される変形可能な材料の性質としては、多孔質、非多孔質、ミクロ孔質、気体又は液体透過性、非透過性、親水性、疎水性、吸湿性、親油性、疎油性、高臨界表面張力、低臨界表面張力、表面前平滑化、弾性的に生産可能、可塑的に生産可能、導電性、及び非導電性の、様々な組み合わせ又は様々な程度を挙げることができるが、これらに限定されない。このような材料は、均質又は構成混合物であり得る。定義の範囲には、梱包材料としての使用に好適な製品も包含される。これには、ポリエチレンフィルム、ポリプロピレンフィルム、ライナー板、板紙、カートン材料などが挙げられるが、これらに限定されない。
【００５２】
本明細書で使用するとき、「黄」は、約５７１ｎｍ〜約６２０ｎｍのスペクトル領域において、極大反射率を有する色及び／又はベースカラーを指す。
【００５３】
本発明で使用するとき、「Ｚ方向」は、機械方向及び機械横方向の両方に垂直な向きである。
【００５４】
割合（％）及び比率はすべて、特記のない限り重量で計算される。更に、割合（％）及び比率はすべて、特に明記しない限り、全組成に基づき計算される。また、特に記載がない限り、構成要素又は組成物の濃度はすべて、その構成要素又は組成物の活性レベルに関するものであり、不純物、例えば、市販の供給源に存在し得る残留溶媒又は副生成物を除外する。
【００５５】
本開示の態様は、印刷された表示部を有する構成要素を有する吸収性物品、より詳しくは、先行技術のカラーパレットを超えるカラーパレットを用いて、印刷した表示部を有するウェブ材料を有する吸収性物品に関係する。このようなウェブ材料は、吸収性物品の構成要素の製造中に印刷され得る。本明細書に論じられるように、かかる印刷ウェブ材料の例を、例えば、バックシート、トップシート、ランディングゾーン、締着具、耳部、吸収性コア、及び獲得層などの印刷されたおむつ構成要素の製造に用いることができる。上述のおむつ構成要素の更なる説明は、米国特許第５，５６９，２３４号、同第５，７０２，５５１号、同第５，６４３，５８８号、同第５，６７４，２１６号、同第５，８９７，５４５号、及び同第６，１２０，４８９号、並びに米国特許出願公開第２０１０／０３００３０９号及び同第２０１０／００８９２６４号において見出すことができる。以下の説明は主としておむつ構成要素に関しているが、本明細書で論じられる装置及び方法は、女性用衛生製品などの他の種類の吸収性物品にも適用可能であることを理解されたい。
【００５６】
いくつかの実施形態では、セントラルインプレッション印刷を使用して、印刷された吸収性物品構成要素の製造において使用される基材の形態で、ウェブ材料にインクを供給してもよい。代表的なセントラルインプレッション印刷方法及び装置としては、米国特許第６，２２０，１５６号、同第６，２８３，０２４号、及び同第５，０８３，５１１号に開示されている。他の実施形態では、インライン印刷を使用して、基材にインクを供給してもよい。代表的なインライン印刷方法及び装置としては、米国特許第６，５８７，１３３号、同第６，０２６，７４８号、及び同第５，３３１，８９０号に開示されている。吸収紙製品基材、例えば、米国特許第５，６３８，７５２号、同第６，０２６，７４８号、及び同第５，３３１，８９０号に例示されたもの上に印刷するための任意の多段階印刷装置を使用して、印刷も行うことができる。
【００５７】
いくつかの実施形態では、多段階印刷システムが使用され得る。一実施形態では、７色を使用して、本開示の印刷された基材を提供することができる。驚くべきことに、特に、赤、緑、及び青紫インクが、７色プロセス印刷手順用の標準ＣＭＹＫプロセスカラーとともに使用されるとき、この方法／装置で作成される、得られる紙製品は、外観の顕著な改善、及び先行技術の４色印刷と比べて、大きな色域を示すことが見出された。理論に制限されるものではないが、更なるインク色は、先行技術の印刷方法／装置から考えられるよりも広い得られるカラーパレットを提供すると考えられている。
【００５８】
あるいは、図６は、代表的な非限定的な接触印刷システム３００の斜視図である。このような接触印刷システム３００は、一般に、流体３０２をウェブ基材又は物品（中心ロール又はグラビアシリンダー３０４としても知られる）上に移動させる印刷構成要素、及び、例えば、ウェブ材料又は物品上に画像を印刷するために、中心ロール３０４からウェブ材料又は物品上への流体３０２の移動を補助する必要がある、任意の他の補助構成要素から形成され得る。示されるように、本開示の装置と、範囲において釣り合った代表的な印刷構成要素は、グラビアシリンダー３０４とすることができる。代表的なグラビアシリンダー３０４を使用して、所望のパターン及び量の流体３０２（例えば、インク）を運び、流体３０２を順にウェブ材料又は物品に移すグラビアシリンダー３０４と接触して配置される、ウェブ材料又は物品に流体３０２の一部を移す。あるいは、当業者によって理解されるように、本開示の原理も、流体３０２を順にウェブ材料に移すことができる印刷プレートに適応されるだろう。任意の点について、本開示の印刷方法は、最終的に使用され、ターゲット割合で所望のパターンに広範囲の流体３０２をウェブ基材に塗布することができる。非限定的な例により、本明細書に記載される特有の代表的なグラビアシリンダー３０４を組み込む、本開示の接触印刷システム３００は、本明細書に記載される従来のグラビア印刷システム（例えば、単一のセントラルインプレッションシリンダーは単一インクのみを適用し得る）と比べて、単一のみではなくそれ以上の流体３０２をウェブ基材に塗布することができる（例えば、それぞれが異なる色である、複数の個々のインクを塗布することができる）。例えば、各種インクをその場で混合し、従来、実現し得なかった色域を表す、実質上、限定されない数の色を形成することができる。
【００５９】
数学的に表され、本明細書に記載される接触印刷システム３００は、Ｘ及びＹは整数であり、０＜Ｙ＜Ｘ、及びＸ＞１である、Ｘ−Ｙ個の印刷構成要素を用いて、Ｘ色をウェブ基材上に印刷することができる。いくつかの実施形態では、グラビアシリンダー３０４に接触してウェブ基材上に配置された各流体３０２は、まず、グラビアシリンダー３０４の内部に配置され、グラビアシリンダー３０４の外側表面２０６の部分に向け、グラビアシリンダー３０４に接触してウェブ基材上に形成される、所望のパターンの任意の表示部を形成する。各流体３０２は、ウェブ基材に直接塗布してもよく、あるいは、別の流体（得られた他の異なる流体３０２の組み合わせであっても、そうでなくともよい）と組み合わせて、ウェブ基材に塗布することができる。このような代表的な接触印刷システムは、「大きな色域を有する表示部をウェブ基材に適用するための装置（An Apparatus for Applying Indicia having a Large Color Gamut on Web Substrates）」という題名で、２０１１年３月４日出願の、同時係属の米国特許出願第Ｓ／Ｎ  １３／０４０，２８７号に記載され、これは参照により本明細書に組み込まれる。いくつかの実施形態では、接触印刷システム３００は、１つの印刷構成要素で少なくとも２色を、又は１つの印刷構成要素で少なくとも３色を、又は１つの印刷構成要素で少なくとも４色を、又は１つの印刷構成要素で少なくとも５色を、又は１つの印刷構成要素で少なくとも６色を、又は１つの印刷構成要素で少なくとも７色を、又は１つの印刷構成要素で少なくとも８色を印刷することができる。他の実施形態では、接触印刷システム３００は、２つの印刷構成要素で少なくとも３色を、又は２つの印刷構成要素で少なくとも４色を、又は２つの印刷構成要素で少なくとも８色を、又は３つの印刷構成要素で少なくとも４色を、又は２つの印刷構成要素で少なくとも１６色を、又は３つの印刷構成要素で少なくとも１６色を、又は３つの印刷構成要素で少なくとも２４色を印刷することができる。
【００６０】
本明細書に記載しているように、本開示の一実施形態は、任意の先行技術の印刷法と比べ、多数のベースカラーを使用して印刷される。一実施形態では、使用され得るベースカラーは、シアン、マゼンタ、黄、黒、赤、緑、及び青紫である。
【００６１】
他の実施形態では、インクの耐摩耗性を向上させるために、本発明のインク組成物は、ワックスを含んでもよい。本発明に好適なワックスには、ポリエチレンワックスエマルションが挙げられるが、これに限定されない。ワックスを本発明のインク組成物に添加すると、インクを繊維性シートに塗布した後、インクフィルムの物理的破壊を阻害するバリアを設定することにより、耐摩擦性を向上させる。全インク組成物の固形分の重量パーセントに対して、ワックスに好適な添加範囲は、約０．５％の固形分〜１０％の固形分である。好適なポリエチレンワックスエマルションの例としては、Ｓ．Ｃ．Ｊｏｈｎｓｏｎ  ＆  Ｓｏｎｓ，Ｉｎｃ．（Ｒａｃｉｎｅ，Ｗｉｓｃｏｎｓｉｎ）によって供給されるＪＯＮＷＡＸ  ２６がある。グリセリンも、耐摩耗性を向上させるために、本発明で使用されるインク組成物に添加してもよい。全インク組成物の重量パーセントに対して、グリセリンに好適な添加範囲は、約０．５％〜２０％、又は約３％〜１５％、又は約８％〜１３％の範囲に及び得る。
【００６２】
図１は、ａ＊ｂ＊平面に、Ｌ＊ａ＊ｂ＊色空間における先行技術のバックシート吸収性物品の基材に得られる二次元（２Ｄ）色域の代表的な外挿したグラフ表示を示す。Ｌ＊ａ＊ｂ＊点は、後述するカラーテスト方法に応じて選択される。理論に制限されるものではないが、多くの「輝度」（すなわち、１００％ハーフトーン）色は、色域の外部境界を表すと考えられている。驚くべきことに、先行技術のバックシート（「ＢＳ」）２Ｄ色域１０が、ＭａｃＡｄａｍ  ２Ｄ色域３０（最大２Ｄ理論的ヒト色認知）として、本開示の吸収性物品のバックシート基材に塗布される程度の大きさの面積を占めていないことが見出された。言い方を変えれば、ＭａｃＡｄａｍ色域３０と利用可能な色との組み合わせにより、赤、緑、及び青紫プロセスカラーの制限を超え、Ｌ＊ａ＊ｂ＊空間に描写されるとき、バックシート２Ｄ色域１０の色及び色の組み合わせを優に超える、得られる色が提供される。
【００６３】
本明細書で論じられる２Ｄ色域について、式：（新規の色域面積−先行技術の色域面積）／先行技術の色域面積＊１００％を使用して、先行技術のバックシート色域１０と比較したＭａｃＡｄａｍ色域３０の２Ｄ色域プロットにより囲まれる面積の増加率を計算する。バックシート色域１０により囲まれる面積は、１２，０８５相対面積単位（relative area units）であり、ＭａｃＡｄａｍ色域３０により囲まれる面積は、４５，１００相対面積単位であると決定することができる。これらの値を式に使用すると、明らかに、驚くべき結果として、約２７３％の色域増加率（ＭａｃＡｄａｍ）となり、これは、先行技術の吸収紙製品のパレットにわたり利用可能である。
【００６４】
本明細書で論じられる３Ｄ色域について、式：（新規の色域体積−先行技術の色域体積）／先行技術の色域体積＊１００％を使用して、バックシート色域（図２及び３）と比較したＭａｃＡｄａｍ色域（図４及び５）（最大３Ｄ理論的ヒト色認識）の３Ｄ色域プロットにより囲まれる体積の増加率を計算する。バックシート３Ｄ色域により囲まれる体積は、３３９，７７７相対体積単位（relative volume units）あり、ＭａｃＡｄａｍ  ３Ｄ色域により囲まれる体積は、２，５７２，５００相対面積単位であると決定することができる。これらの値を式に使用すると、明らかに、驚くべき結果として、約６５７％の３Ｄ色域増加率（ＭａｃＡｄａｍ）となり、これは、先行技術の吸収紙製品のパレットにわたり利用可能である。
【００６５】
図１ａは、ａ＊ｂ＊平面に、Ｌ＊ａ＊ｂ＊色空間における先行技術の締着タブの基材に利用可能な二次元（２Ｄ）色域の代表的な外挿したグラフ表示を示す。締着タブの代表的な実施形態は、図８を参照して、以下に説明する。Ｌ＊ａ＊ｂ＊点は、後述するカラーテスト方法に応じて、選択される。理論に制限されるものではないが、多くの「輝度」（すなわち、１００％ハーフトーン）色は、色域の外部境界を表すと考えられている。驚くべきことに、先行技術の締着タブ（「ＦＴ」）２Ｄ色域２０が、ＭａｃＡｄａｍ  ２Ｄ色域３０（最大２Ｄ理論的ヒト色認識）として、本開示の吸収性物品の締着タブの基材に塗布される程度の大きさの面積を占めていないことが見出された。言い方を変えれば、ＭａｃＡｄａｍ色域３０と利用可能な色との組み合わせにより、赤、緑、及び青紫プロセスカラーの制限を超え、Ｌ＊ａ＊ｂ＊空間に描写されるとき、締着タブ２Ｄ色域２０の色及び色の組み合わせを優に超える、得られる色が提供される。
【００６６】
本明細書で論じられる２Ｄ色域について、式：（新規の色域面積−先行技術の色域面積）／先行技術の色域面積＊１００％を使用して、締着タブ色域２０と比較したＭａｃＡｄａｍ色域３０の２Ｄ色域プロットにより囲まれる面積の増加率を計算する。締着タブ色域２０により囲まれる面積は、１，４４９相対面積単位であり、ＭａｃＡｄａｍ色域３０により囲まれる面積は、４５，１００相対面積単位であると決定することができる。これらの値を式に使用すると、明らかに、驚くべき結果として、約３０１２％の色域増加率（ＭａｃＡｄａｍ）となり、これは、先行技術の吸収紙製品のパレットにわたり利用可能である。
【００６７】
本明細書で論じられる３Ｄ色域について、式：（新規の色域体積−先行技術の色域体積）／先行技術の色域体積＊１００％を使用して、締着タブ色域（図２ａ及び３ａ）と比較したＭａｃＡｄａｍ色域（図４及び５）（最大３Ｄ理論的ヒト色認識）の３Ｄ色域プロットにより囲まれる体積の増加率を計算する。締着タブ３Ｄ色域により囲まれる体積は、１８，０５４相対体積単位であり、ＭａｃＡｄａｍ  ３Ｄ色域により囲まれる体積は、２，５７２，５００相対面積単位であると決定することができる。これらの値を式に使用すると、明らかに、驚くべき結果として、約１４，１４９％の３Ｄ色域増加率（ＭａｃＡｄａｍ）となり、これは、先行技術の吸収紙製品のパレットにわたり利用可能である。
【００６８】
本明細書に記載しているように、吸収紙製品に関連して、本明細書で記載された色域の増加を有する製品は、先行技術の色域によって制限される製品と比べて、目視で認知可能であると観察される。特に、これは、本明細書に記載された色域を使用する吸収紙製品について、当てはまり得る。理論に束縛されるものではないが、これは、本開示の色域において、より目視で認識可能な色があるためである。驚くべきことに、本発明はまた、色域において損失なく、フルカラースケールを有する製品を提供することが見出された。
【００６９】
本開示と、範囲において釣り合った２Ｄ  ＣＩＥＬａｂ（Ｌ＊ａ＊ｂ＊）空間及び３Ｄ  ＣＩＥＬａｂ（Ｌ＊ａ＊ｂ＊）空間の両方において、色域境界は、それぞれ、ＣＩＥＬａｂ座標（Ｌ＊ａ＊ｂ＊）において、下記の連立方程式：
ＭａｃＡｄａｍ  ２Ｄ色域
｛ａ＊＝−５４．１〜７２．７、ｂ＊＝１３１．５〜１４５．８｝→ｂ＊＝０．１１３ａ＊＋１３７．６
｛ａ＊＝−１３１．６〜−５４．１、ｂ＊＝８９．１〜１３１．５｝→ｂ＊＝０．５４７ａ＊＋１６１．１
｛ａ＊＝−１６５．６〜−１３１．６、ｂ＊＝２８．０〜８９．１｝→ｂ＊＝１．７９７ａ＊＋３２５．６
｛ａ＊＝３．６〜−１６５．６、ｂ＊＝−８２．６〜２８．０｝→ｂ＊＝−０．６５４ａ＊−８０．３
｛ａ＊＝１２７．１〜３．６、ｂ＊＝−９５．１〜−８２．６｝→ｂ＊＝−０．１０１ａ＊−８２．３
｛ａ＊＝７２．７〜１２７．１、ｂ＊＝１４５．８〜−９５．１｝→ｂ＊＝−４．４２８ａ＊＋４６７．７
（式中、Ｌ＊は０〜１００である）によって近似され得る。
【表３】
2014506524.tif 000005
【００７０】
上記２Ｄ色域は、図１に示されるように、各ＭａｃＡｄａｍ色域３０の最も外側の点と各バックシート色域１０の最も外側の点との間に直線を引くことにより、近似され得る。示されるように、２Ｄバックシート色域１０吸収紙製品は、２Ｄ  ＭａｃＡｄａｍ色域３０より小さいＣＩＥＬａｂ（Ｌ＊ａ＊ｂ＊）色空間を占める。非限定的な一実施形態において、本開示は、ＭａｃＡｄａｍ色域３０及びバックシート色域１０を表す連立方程式（Ｌ＊＝０〜１００）により囲まれる領域間を延伸するＣＩＥＬａｂ（Ｌ＊ａ＊ｂ＊）色空間の二次元のａ＊ｂ＊軸に描写され得る色を含む印刷された表示部を有する、ウェブ基材、並びに／又は、バックシート、トップシート、ランディングゾーン、締着具、耳部、サイドパネル、吸収性コア、及び／若しくは獲得層などの構成要素を含む吸収性物品を提供する。
【００７１】
代表的であるが、非限定的な更に別の実施形態において、本開示は、本明細書で論じられるＭａｃＡｄａｍ色域（図４及び５）及びバックシート色域（図２及び３）を表す３Ｄの連立方程式により囲まれる領域間を延伸する三次元ＣＩＥＬａｂ（Ｌ＊ａ＊ｂ＊）色空間に描写され得る色を含む印刷された表示部を有する、ウェブ基材、並びに／又は、バックシート、トップシート、ランディングゾーン、締着具、耳部、サイドパネル、吸収性コア、及び／若しくは獲得層などの構成要素を含む吸収性物品を提供する。
【００７２】
上記２Ｄ色域は、図１ａに示されるように、各ＭａｃＡｄａｍ色域３０の最も外側の点と各締着タブ色域２０の最も外側の点との間に直線を引くことにより、近似され得る。示されるように、２Ｄ締着タブ色域２０吸収紙製品は、２Ｄ  ＭａｃＡｄａｍ色域３０より小さいＣＩＥＬａｂ（Ｌ＊ａ＊ｂ＊）色空間を占める。非限定的な一実施形態において、本開示は、ウェブ基材、並びに／又は、身体に面する、及び／若しくは衣類に面する、完全に印刷された表面を有し、かつ／若しくは、ＭａｃＡｄａｍ色域３０と締着タブ色域２０とを表す連立方程式（Ｌ＊＝０〜１００）により囲まれる領域間を延伸するＣＩＥＬａｂ（Ｌ＊ａ＊ｂ＊）色空間の二次元のａ＊ｂ＊軸に描写され得る色を有する印刷された表示部を有する、締着タブなどの構成要素を含む吸収性物品を提供する。
【００７３】
代表的であるが、非限定的な更に別の実施形態において、本開示は、ウェブ基材、並びに／又は、身体に面する、及び／若しくは衣類に面する、完全に印刷された表面を有し、かつ／若しくは、本明細書で論じられる、ＭａｃＡｄａｍ色域（図４及び５）と締着タブ色域（図２ａ及び３ａ）とを表す３Ｄの連立方程式により囲まれる領域間を延伸する三次元ＣＩＥＬａｂ（Ｌ＊ａ＊ｂ＊）色空間に描写され得る色を有する印刷された表示部を有する、締着タブなどの構成要素を含む吸収性物品を提供する。
【００７４】
上述されるように、本明細書に開示される印刷装置及び方法を使用して、表示部を使用されるウェブ材料の上に印刷して、おむつなどの吸収性物品の構成要素を製造することができる。特定の図解の目的で、図７は、基材、及び／又は前述したように、印刷した表示部を有する構成要素であってもよいおむつ１７０の形態で、使い捨て吸収性物品の一例を示す。図８は、シャーシ１７２を含むおむつ１７０の平面図であって、シャーシ１７２は平坦な、折り畳まれていない状態で示され、着用者とは反対側のおむつの部分が観測者の方を向いている。シャーシ構造の一部は、おむつの実施形態に含まれ得る様々な機構の構成をより明瞭に示すために、図８において切り取られている。
【００７５】
図８に示されるように、おむつ１７０は、第１の耳部１７４と、第２の耳部１７６と、第３の耳部１７８と、第４の耳部１８０とを有するシャーシ１７２を含む。本考察に関する基準枠を提供するために、長手方向軸線１８２及び横方向軸線１８４を有するシャーシ１７２が示されている。シャーシ１７２は、第１の腰部領域１８６、第２腰部領域１８８、及び第１の腰部領域と第２腰部領域との間に配置された股部領域１９０を有するものとして示されている。おむつの周囲は、一対の長手方向に延伸する側端部１９２、１９４、第１の腰部領域１８６に隣接して横方向に延伸する第１の外縁１９６、及び第２の腰部領域１８８に隣接して横方向に延伸する第２の外縁１９８によって規定されている。図７に示されるように、おむつ１７０は、腰部開口部２００と、２つの脚部開口部２０２とを有している。
【００７６】
図７及び図８に示されるように、シャーシは、内側の身体に面する表面２０４と、外側の衣類に面する表面２０６とを含む。図８に示されるように、シャーシ１７２は、トップシート２１０とバックシート２１２とを含む外側カバー層２０８を含んでもよい。吸収性コア２１４は、トップシート２１０とバックシート２１２の一部分の間に配置されてもよい。シャーシの領域の任意の１つ以上は、伸縮性であってもよく、様々な種類のエラストマー材及び／又は積層体を含んでもよいことを理解されたい。このように、おむつは、適用時に特定の着用者の解剖学的構造に適合するように、また着用中に着用者の解剖学的構造との協調を維持するように構成されてもよい。
【００７７】
おむつ１７０をパンツタイプおむつの形態で提供してもよく、又は別の方法として、おむつ１７０に再密閉可能な締着システムを設けてもよく、この締着システムは、着用者の所定の位置におむつを固定するのに役立つように、締着具要素を種々の箇所に含んでいてもよい。締着具要素を、耳部に配置してもよく、第１又は第２の腰部領域に配置された１つ以上の対応する締着要素に取り外し可能に連結するように構成してもよい。例えば、図８に示されるように、おむつ１７０は、第１の締着タブ２２８、及び第２の腰部領域１８８のシャーシ１７２に連結した第２の締着タブ２３０を含む。図８に示されるように、締着タブ２２８、２３０はそれぞれ、第３の耳部１７８及び第４の耳部１８０の遠位端領域に沿って連結される。締着タブ２２８、２３０はまた、様々な種類の取り外し可能に係合できる締着具及び／又は再締結可能な締着構造体を含んでもよい。例えば、第１及び第２の締着タブ２２８、２３０は、フック・ループ式締着具、フック・フック式締着具、マクロ締着具、ボタン、スナップ、タブ及びスロット締着具、テープ締着具、接着剤締着具、粘着性締着具、磁気締着具、両性型（hermaphrodidic）締着具などの形式の、機械的締着具２３２を含んでもよい。締着システム及び／又は締着タブ２２８、２３０のいくつかの例は、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号、同第６，２５１，０９７号、同第６，６６９，６１８号、同第６，４３２，０９８号、並びに米国特許出願公開第２００７／００７８４２７号及び同第２００７／００９３７６９号において論じられている。
【００７８】
締着タブ２２８、２３０は、おむつ１７０の別の部分と、取り外し可能にかつ／又は再締結可能に、係合又は連結するように構成され得る。例えば、図８に示されるように、おむつ１７０は、第１の腰部区域１８６内に、ランディングゾーンと称されることもある連結区域２３４を含み得る。したがって、テープ型おむつ１７０が着用者に位置付けられるとき、締着タブ２２８、２３０は着用者の腰の周りに引っ張られ、また第１の腰部領域１８６内の連結区域２３４と連結されて、閉じた腰部周囲と、一対の横方向に対向する脚部開口部とを形成する。連結区域は、おむつのシャーシ１７２と連結する、分離した基材で構築され得ることを理解すべきである。いくつかの実施形態では、連結区域は、例えば、米国特許第５，７３５，８４０号及び同第５，９２８，２１２号に開示されるように、おむつ１７０のバックシート２１２の一部として一体化して形成されてもよく、又は、腰部区域のうちの一方又は双方内で第１及び第２の耳部の一部として形成されてもよい。
【００７９】
おむつ１７０は、締着タブ２２８、２３０と同一の面上及び同一の腰部領域内に配置される非係合領域を更に含んでもよい。非係合領域は、締着タブ２２８、２３０が、吸収性物品の他の要素と係合されることを防ぐのに役立つように構成され得る。非係合領域は、フィルム、コーティング、又は、締着タブ２２８、２３０に装着しない若しくは締着タブ２２８、２３０と係合しない他の材料を含み得る。特定の実施形態では、非係合領域は、おむつ１７０が包装されているとき、締結構成要素の締結面と表面同士が向かい合わせとなっている。
【００８０】
おむつの実施形態はまた、排泄物を受け入れて封じ込めるポケット、排泄物用の空隙を提供するスペーサ、物品内での排泄物の移動を制限するバリア、おむつ内に堆積した排泄物を受けて封じ込める区画又は空隙など、又はそれらの任意の組み合わせを含んでもよい。吸収性製品で使用するためのポケット及びスペーサの例は、米国特許第５，５１４，１２１号、同第５，１７１，２３６号、同第５，３０６，２６６号、同第５，３９７，３１８号、同第５，５４０，６７１号、及び国際公開第９３／２５１７２号に記載されており、これらのすべては参照により本明細書に組み込まれる。区画又は空隙の例は、米国特許第４，９６８，３１２号、同第４，９９０，１４７号、同第５，０６２，８４０号、同第６，４８２，１９１号、及び同第５，２６９，７５５号に開示されており、これらのすべては参照により本明細書に組み込まれる。好適な横方向のバリアの例は、米国特許第５，５５４，１４２号、同第５，６５３，７０３号、及び国際公開第９４／１４３９５号に記載されており、これらのすべては参照により本明細書に組み込まれる。上記参照のすべては、これによって本明細書に参考により組み込まれる。吸収性物品の実施形態はまた、前述した空隙、ポケット、及びバリアに加えて、又はそれらの代わりに、粘稠な流体の体外排泄物、例えば、垂れやすい糞尿を効果的に及び効率的に受け、収納し、及び／又は固定化することができる排泄物処理要素を含んでもよく、例えば、米国特許第６，０１０，４９１号に記載されており、これは参照により本明細書に組み込まれる。
【００８１】
上述されるように、シャーシ１７２は、例えば、図８に示すバックシート２１２を含んでもよい。いくつかの実施形態では、バックシートは、シャーシ内に吸収されて保持される滲出物が、おむつに接触し得る物品、例えばベッドシーツ及び下着などを汚すことがないように構成されている。バックシートのいくつかの実施形態は流体透過性であってもよく、一方で、他の実施形態は、液体（例えば、尿）に対して不透過性であってもよく、薄いプラスチックフィルムなどのフィルムを含む。いくつかの実施形態においては、プラスチックフィルムには、厚さが約０．０１２ｍｍ（０．５ミル）〜約０．０５１ｍｍ（２．０ミル）の熱可塑性フィルムが含まれる。いくつかのバックシートフィルムは、Ｔｒｅｄｅｇａｒ  Ｉｎｄｕｓｔｒｉｅｓ  Ｉｎｃ．（Ｔｅｒｒｅ  Ｈａｕｔｅ，Ｉｎｄ．）によって製造され、商標名Ｘ１５３０６、Ｘ１０９６２、及びＸ１０９６４として販売されているものを含んでもよい。他のバックシート材として、おむつから蒸気を逃がすものの、滲出物がバックシートを通り抜けることは防ぐ通気性材料を挙げることも可能である。代表的な通気性材料としては、織布ウェブ、不織布ウェブ、フィルムコーティング不織布ウェブなどの複合材料、並びにエスポアール（ESPOIR）ＮＯの呼称で日本の三井東圧株式会社（Mitsui Toatsu Co.）により製造されているミクロ孔質フィルム及びエグザイア（EXXAIRE）の名称でテキサス州ベイシティー（Bay City, Tex.）のエクソンケミカル社（EXXON Chemical Co.）により製造されているようなミクロ孔質フィルムなどの材料を挙げることができる。ポリマーブレンドを含む好適な通気性複合材料は、名称ハイトレル（HYTREL）ブレンドＰ１８−３０９７として、クロペイ社（Clopay Corporation）（オハイオ州シンシナティ（Cincinnati, Ohio））から入手可能である。このような通気性複合材料は、国際公開第９５／１６７４６号、及び米国特許第５，８６５，８２３号に詳細に記述されており、これらは両方とも参照により本明細書に組み込まれる。不織布ウェブと孔あき成形フィルムとを含むその他の通気性バックシートは、米国特許第５，５７１，０９６号及び同第６，５７３，４２３号に記載され、これらのすべては参照により本明細書に組み込まれる。
【００８２】
バックシート２１２は、通気性（若しくは微多孔性）フィルム材料、又は非通気性（若しくは非微多孔性）フィルム材料などの、１つだけのシート（若しくは層）材料で形成されてもよい。いくつかの実施形態では、バックシートは、非通気性（又は通気性）フィルム材料と不織布の外側カバー材料とを含んでいてもよい、２つ（又はそれ以上）のシート（又は層）材料で形成されてもよい。いくつかの実施形態では、バックシートは、結合されて一体となった２つのシート（又は層）材料の積層体で形成されてもよく、例えば、バックシートは、非通気性フィルム材料と、フィルム材料の衣類に面する表面に結合されて、衣類のような及び／又は肌着のような感触を提供する不織布材料とを含んでもよい。上記の考察によると、印刷された構成要素材料を作製すために基材の上に表示部を印刷することができ、これを、バックシートを製造するための印刷された構成要素に転換することができる。このように、基材は、バックシートを構成するために使用されるフィルム材料及び／又は不織布材料の形態であってもよい。したがって、バックシートの構成要素材料（１つ又は複数）の任意の表面に、表示部Ｇが印刷されてもよい。例えば、フィルム材料及び不織布材料の衣類に面する表面及び身体に面する表面のいずれかに、表示部を印刷することができる。いくつかの実施形態では、表示部は不織布材料の上に直接印刷される。他の実施形態では、表示部Ｇは、フィルム材料の衣類に面する表面に印刷される。かかる配列構成では、表示部は不織布材料で覆われてもよく（又は保護されてもよく）、表示部は不織布材料を通して可視である。
【００８３】
バックシート２１２と同様に、トップシート２１０を構成するための印刷された構成要素材料として使用される基材上に、表示部が印刷されてもよい。したがって、トップシートの構成要素材料（１つ又は複数）の任意の表面に、表示部Ｇが印刷されてもよい。トップシートは、着用者の皮膚に対して順応性があり、柔軟な感触であり、及び非刺激性であるように構成されてもよい。更には、トップシートのすべて又は少なくとも一部分は、液体透過性であって、液体がそれを通って容易に浸透できてもよい。したがって、トップシートは、広範囲にわたる材料から製造してもよく、例えば、多孔質発泡体、網状発泡体、孔あき不織布若しくはプラスチックフィルム、又は織布ウェブ若しくは不織布ウェブであって、天然繊維（例えば、木繊維若しくは綿繊維）、合成繊維（例えば、ポリエステル、ポリエチレン、若しくはポリプロピレン繊維）、若しくは天然繊維と合成繊維との組み合わせからなる織布ウェブ又は不織布ウェブなどである。吸収剤アセンブリに繊維が含まれる場合、繊維は、スパンボンド、カード、ウェットレイド、メルトブローン、水流交絡、又は当該技術分野で知られるように別の方法で処理されていてもよい。ステープル長さのポリプロピレン繊維のウェブを含むトップシートの一例は、Ｉｎｔｅｒｎａｔｉｏｎａｌ  Ｐａｐｅｒ  Ｃｏｍｐａｎｙの一部門であるＶｅｒａｔｅｃ，Ｉｎｃ．（Ｗａｌｐｏｌｅ，Ｍａｓｓ）によって、Ｐ−８の呼称で製造されている。
【００８４】
成形フィルムトップシートの例は、すべて参照により本明細書に組み込まれる、米国特許第３，９２９，１３５号、同第４，３２４，２４６号、同第４，３４２，３１４号、同第４，４６３，０４５号、及び同第５，００６，３９４号に記載されている。その他のトップシートは、米国特許第４，６０９，５１８号及び同第４，６２９，６４３号に従って作製され得、これらは参照により本明細書に組み込まれる。このような成形フィルムは、プロクター・アンド・ギャンブル社（The Procter & Gamble Company）（オハイオ州シンシナティ（Cincinnati））から「ドライウィーブ（DRI-WEAVE）」として、またトレデガー社（Tredegar Corporation）（インディアナ州テレホート（Terre Haute））から「クリフ−Ｔ（CLIFF-T）」として入手可能である。
【００８５】
いくつかの実施形態では、トップシートは、吸収性コア内に収容された液体から着用者の皮膚を隔離するために、疎水性材料で作製されるか、又は疎水性であるように処理される。トップシートが疎水性素材から作られている場合、液体がトップシートを通って更に迅速に移動するように、トップシートの少なくとも上面を処理して親水性にしてもよい。これにより、身体滲出物が、トップシートを通過して引き込まれて吸収性コアに吸収されるよりも、トップシートから流出する可能性が低減する。トップシートは、これを界面活性剤で処理するか、又は界面活性剤をトップシートに組み入れることによって親水性を付与することが可能である。トップシートを界面活性剤で処置するための好適な方法としては、トップシート素材に界面活性剤を噴霧すること、及び素材を界面活性剤中に浸漬することが挙げられる。こうした処理及び親水性のより詳細な記述は、米国特許第４，９８８，３４４号及び同第４，９８８，３４５号に包含され、これらは参照により本明細書に組み込まれる。トップシートに界面活性剤を取り入れるためのいくつかの方法のより詳細な説明は、米国法定発明登録第Ｈ１６７０号に見出すことができ、これは参照により本明細書に組み込まれる。
【００８６】
いくつかの実施形態では、トップシートは、疎水性である孔あきウェブ又はフィルムを含んでもよい。これは、製造プロセスから親水性処理工程を省き、及び／又は、例えば以下に記載するように、スコッチガード（SCOTCHGUARD）などのポリテトラフルオロエチレン化合物又は疎水性ローション組成物による疎水性処理をトップシートに施すことによって、実施することが可能である。このような実施形態においては、開口部は、尿のような液体が著しい抵抗を伴うことなく浸透できるように、十分に大きくてもよい。多様な孔あきトップシートのより詳細な説明は、米国特許第５，３４２，３３８号、同第５，９４１，８６４号、同第６，０１０，４９１号、及び同第６，４１４，２１５号に見出すことができ、これらのすべては参照により本明細書に組み込まれる。
【００８７】
トップシートのいずれかの部分は、米国特許第５，６０７，７６０号、同第５，６０９，５８７号、同第５，６３５，１９１号、同第５，６４３，５８８号、及び同第６，４９８，２８４号に記載されているトップシートのように、ローションでコーティングされていてもよく、これらのすべては参照により本明細書に組み込まれる。ローションは、単独で又は他の剤と組み合わされて、上述の疎水化処理として機能することができる。トップシートはまた、抗菌剤類を含んでいてもよく、又はそれで処理されていてもよく、そのいくつかの例は、国際公開第９５／２４１７３号に記載されており、これは参照により本明細書に組み込まれる。更には、トップシート、バックシート、又はトップシート若しくはバックシートのいずれかの部分には、より布に近い外観を持たせるためにエンボス加工及び／又はつや消し仕上げを施してもよい。
【００８８】
吸収性コア２１４は、一般的に圧縮性であり、適合性があり、着用者の皮膚に刺激がなく、尿及び他の身体排出物などの液体を吸収し保持することのできる、獲得層及び吸収性材料などの構成要素を含んでもよい。したがって、バックシート及びトップシート構成要素に加えて、吸収性コア及び獲得層を構成するための印刷された構成要素材料として使用される基材の上に、表示部が印刷されてもよいことを理解すべきである。それに加えて、吸収性コアの様々な構成要素材料の任意の表面に、表示部Ｇが印刷されてもよい。吸収性コアはまた、多種多様の大きさ及び形状（例えば、矩形、砂時計形、Ｔ字形、非対称形等）に製造することができる。吸収性コアはまた、使い捨ておむつ及び他の吸収性物品に一般に使用される、広範な種類の液体吸収性材料を含むことができる。一例では、吸収性コアには、粉砕木材パルプ（一般的にエアフェルトと称される）が含まれている。その他の吸収性材料の例としては、捲縮セルロース塊、コフォームを含むメルトブローンポリマー、化学的に剛化、変性、若しくは架橋されたセルロース繊維、ティッシュラップ及びティッシュ積層体を含むティッシュ、吸収性発泡体、吸収性スポンジ、超吸収性ポリマー、吸収性ゲル材料、又は他のいずれかの既知の吸収性材料、又は材料の組み合わせが挙げられる。
【００８９】
吸収性コアの構成及び構造は、多様であってもよい（例えば、吸収性コア（１つ又は複数）又は他の吸収性構造（１つ又は複数）は、多様なキャリパーゾーン、親水性勾配、超吸収性勾配、又はより低い平均密度及びより低い平均坪量の獲得区域を有してもよく、あるいは１つ以上の層又は構造体を含んでもよい）ことを理解すべきである。代表的な吸収性構造体は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、及び同第５，６５０，２２２号に記載されており、これらのすべては参照により本明細書に組み込まれる。
【００９０】
吸収性コアはまた、多層化された構造を有してもよい。様々な種類の多層化された吸収性コアのより詳細な説明は、米国特許第５，６６９，８９４号、同第６，４４１，２６６号、及び同第５，５６２，６４６号、欧州特許第０５６５６０６（Ｂ１）号、米国特許出願公開第２００４／０１６２５３６（Ａ１）号、及び同２００４／０１６７４８６（Ａ１）号、並びに国際公開第２００６／０１５１４１号に記載され、これらのすべては参照により本明細書に組み込まれる。いくつかの実施形態においては、吸収性物品は、伸縮性の吸収性コアを含んでいる。このような構成においては、吸収性コアを、シャーシの他の材料と共に長手方向及び／又は横方向に延伸するように構成してもよい。また吸収性コアを、シャーシのその他の構成要素と種々の方法で接続することができる。例えば、おむつは、「浮いたコア」構成又は「バケット」構成を含んでもよく、ここでおむつは、物品を着用者上で移動させる傾向のある力を収集するように構成され得る固定システムを含む。またこのような固定システムは、身体の種々の部分に接触することによって、それ自体を着用者の身体に固定するように構成することもできる。このようにして、固定システムは、集めた移動力と固定から得られる保持力との平衡を保つことができる。集めた移動力と得られる保持力との平衡を保つことにより、固定システムは、少なくとも、使い捨て着用可能吸収性物品を着用者の所定の場所に保持することに役立つことができる。種々の浮いたコア構成及び／又はバケットコア構成のより詳細な説明は、米国特許出願公開第２００７／０２８７９８１（Ａ１）号、同第２００７／０２８７９８２（Ａ１）号、及び同第２００７／０２８７９８３（Ａ１）号に見出すことができ、これらのすべては参照により本明細書に組み込まれる。
【００９１】
本開示によるおむつはまた、弾性的延伸性サイドパネルなどのその他の機構を含むことができる。サイドパネルは、継ぎ目で結合されて、腰部開口部及び脚部開口部を形成してもよい。おむつはまた、着用者の脚部及び腰部の周囲への密着を高めるために、図８に示されるような脚部弾性部材２１６と、弾性腰部領域とを含んでもよい。脚部弾性部材及びレッグカフの実施形態の例は、米国特許第４，６９５，２７８号及び同第４，７９５，４５４号に開示されている。
【００９２】
バックシート、トップシート、吸収性コア、獲得層、及び他のおむつ構成要素に加え、表示部はまた、例えば、ランディングゾーンなどのおむつの締着要素を構成するための印刷された構成要素材料として使用される基材の上に印刷されてもよい。上述のように、特定の構成に応じて、様々な種類の締着要素をおむつと共に使用することができることを理解されたい。一例では、締着要素は、フック・ループ締着具、例えば３Ｍ又はベルクロインダストリーズ（Velcro（登録商標） Industries）から販売されるものを含む。他の例において、締着要素は、接着剤及び／又はテープタブ（tap tabs）を含む一方、他の締着要素は、マクロ締着具、又はフック（例えば、ＭＡＣＲＯ又は「ボタン状」締着具）として構成される。いくつかの代表的な締着要素及びシステムは、米国特許第３，８４８，５９４号、同第４，６６２，８７５号、同第４，８４６，８１５号、同第４，８９４，０６０号、同第４，９４６，５２７号、及び同第５，１５１，０９２号に開示されており、これらのすべては参照により本明細書に組み込まれる。締着具及び／又は締着要素の更なる例は、米国特許第６，４８２，１９１号、同第６，２５１，０９７号、及び同第６，４３２，０９８号、並びに米国特許出願公開第２００７／００７８４２７（Ａ１）号、及び同第２００７／００９３７６９（Ａ１）号において論じられており、これらのすべては参照により本明細書に組み込まれる。その他の締着システムは、米国特許第５，５９５，５６７号、同第５，６２４，４２７号、同第５，７３５，８４０号、及び同第５，９２８，２１２号により詳細に記載されており、これらはすべて参照により本明細書に組み込まれる。また締着システムは、米国特許第４，９６３，１４０号に開示されているように、物品を使い捨て構成体内に保持するための手段を提供することも可能であり、これは参照により本明細書に組み込まれる。
【００９３】
図７及び図８に示されるおむつの上記説明は、本明細書に開示される方法及び装置に従って、表示部Ｇを、基材の上に印刷して、例えば、バックシート、トップシート、吸収性コア、獲得層、ランディングゾーン、締着タブ、及びその他の締着要素などの様々な構成要素を構成することができることを例示している。更に、表示部は、このような構成要素の身体に面する表面、衣類に面する表面、又は両面に印刷されてもよい。
【００９４】
本明細書に開示される表示部は、図形（例えば、１つ又は複数の線）、しるし若しくはキャラクター、少なくとも２色の色差若しくは転移などで構成された画像又はデザインなどの図柄の形態であってもよいことを理解すべきである。図柄は、吸収性物品を見たときに一定の利益を提供することができる、美的画像又はデザインを含んでもよい。表示部が永続的又は活性な図柄の形態であってもよいことを理解すべきである。活性図柄は、例えば、水分（例えば、アクアクロミック（aquachromic）インクの図柄）、温度変化（例えば、サーモクロミックインクの図柄）、及び／又は光（例えば、光発色性インクの図柄、紫外線光又は赤外線光）などの様々な種類のトリガー機構又は刺激を受けて現れる又は消えるように構成される図柄である。
【００９５】
本明細書に開示され、印刷された表示部を含む、吸収性物品の実施形態は、種々の平均湿式摩擦堅ろう度を有してもよいことも理解すべきである。例えば、吸収性物品のいくつかの実施形態は、少なくとも４以上の平均湿式摩擦堅ろう度を有してもよい。湿式摩擦堅ろう度の測定方法は、米国特許第５，４５８，５９０号に記載されており、これは参照として本明細書に組み込まれる。
【００９６】
分析的かつ試験的手順
カラー試験方法
本明細書に論じられる本開示に従って、製造された最終的な印刷物のＣＩＥＬａｂ（Ｌ＊ａ＊ｂ＊）値は、ＩＳＯ  １３６５５に従って、色彩計、分光光度計、又は分光濃度計で測定され得る。本発明で使用するのに好適な分光濃度計は、Ｘ−Ｒｉｔｅ，Ｉｎｃ．（Ｇｒａｎｄ  Ｒａｐｉｄｓ，ＭＩ．）から市販されているＸ−Ｒｉｔｅ  ５３０である。
【００９７】
記載されるように、Ｄ５０イルミナント及び２度観測者を選択する。４５／０°測定形状を使用する。分光濃度計は、１０ｎｍの測定間隔を有する必要がある。分光濃度計は、２ｎｍ未満の測定開口を有する必要がある。色を測色する前に、メーカー指示に従い、分光濃度計を較正する。可視表面を、乾燥状態、かつ約５０％±２％の周囲相対湿度及び２３℃±１℃の温度で、試験した。ＩＳＯ  １３６５５規格Ａ３節を満たす白押さえに、測定する試料を置く。代表的な白押さえは、ウェブサイト（ｈｔｔｐ：／／ｗｗｗ．ｆｏｇｒａ．ｄｅ／ｅｎ／ｆｏｇｒａ−ｓｔａｎｄａｒｄｉｚａｔｉｏｎ／ｆｏｇｒａ−ｃｈａｒａｃｔｅｒｉｚａｔｉｏｎｄａｔａ／ｉｎｆｏｒｍａｔｉｏｎ−ａｂｏｕｔ−ｍｅａｓｕｒｅｍｅｎｔ−ｂａｃｋｉｎｇｓ／）に説明されている。解析される色を含む印刷物の可視表面上の試料位置を選択する。Ｌ＊、ａ＊、及びｂ＊値を読み取って記録する。
【００９８】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００９９】
相互参照されるか又は関連するすべての特許又は特許出願を含む、本願に引用されるすべての文書を、特に除外又は限定することを明言しない限りにおいて、その全容にわたって本願に援用するものである。いずれの文献の引用も、こうした文献が本願で開示又は特許請求されるすべての発明に対する先行技術であることを容認するものではなく、また、こうした文献が、単独で、あるいは他のすべての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中で用語に与えられる意味又は定義が優先するものとする。
【０１００】
以上、本発明の特定の実施形態を例示及び説明したが、本発明の趣旨及び範囲から逸脱することなく他の様々な変更及び改変を実施できることは当業者には明らかであろう。したがって、本発明の範囲内に含まれるそのような変更及び改変はすべて、添付の「特許請求の範囲」において網羅されるものとする。
【図１】
2014506524.tif 000006
【図１ａ】
2014506524.tif 000007
【図２】
2014506524.tif 000008
【図２ａ】
2014506524.tif 000009
【図３】
2014506524.tif 000010
【図３ａ】
2014506524.tif 000011
【図４】
2014506524.tif 000012
【図５】
2014506524.tif 000013
【図６】
2014506524.tif 000014
【図７】
2014506524.tif 000015
【図８】
2014506524.tif 000016
【国際調査報告】
2014506524.tif 000017
2014506524.tif 000018
2014506524.tif 000019